【手続補正書】
【提出日】平成19年11月8日(2007.11.8)
【手続補正１】
【補正対象書類名】明細書
【補正対象項目名】特許請求の範囲
【補正方法】変更
【補正の内容】
【特許請求の範囲】
【請求項１】  条件付きアクセス情報を含む信号で受信したビデオイメージ情報を表示するためのフォーマットを選択する方法であって、
ａ）ビデオイメージ情報と複数のピクチャ解像度フォーマットの１つに関連付けられた条件付きアクセス情報とを含む前記信号を受信するステップと、
ｂ）前記受信した信号に含まれる前記条件付きアクセス情報を復号するステップであって、
前記復号した条件付きアクセス情報は、
ｉ）前記ビデオイメージ情報の記録
ｉｉ）前記記録したビデオイメージ情報の再生、前記記録したビデオイメージ情報のその後のコピーを制御するデータの再生
の少なくとも一方に利用可能なピクチャ解像度フォーマットに関するデータを含む、ステップと、
ｃ）前記復号した条件付きアクセス情報に応じて、ピクチャ解像度フォーマットを適応的に選択するステップと、
ｄ）前記選択したピクチャ解像度フォーマットを用いて前記ビデオイメージ情報を処理するステップと
を含むことを特徴とする方法。
【請求項２】  前記ピクチャ解像度フォーマットの選択は、ユーザのエンタイトルメントを決定する前記復号した条件付きアクセス情報に応じて、前記複数の利用可能なピクチャ解像度フォーマットの中から１つを選択することであることを特徴とする請求項１に記載の方法。
【請求項３】  前記ピクチャ解像度フォーマットは、
ｉ）標準解像度フォーマット
ｉｉ）高解像度フォーマット
の一方であることを特徴とする請求項１に記載の方法。
【請求項４】  前記ビデオイメージ情報を、前記選択したピクチャ解像度フォーマットで記録媒体に記録するステップをさらに含むことを特徴とする請求項１に記載の方法。
【請求項５】  前記記録したビデオイメージ情報を、前記選択したピクチャ解像度フォーマットでディスプレイ上に再生するステップをさらに含むことを特徴とする請求項４に記載の方法。
【請求項６】  前記受信した信号の前記ビデオイメージ情報は、第１チャネルでデジタル信号として送信されることを特徴とする請求項１に記載の方法。
【請求項７】  前記ビデオイメージデータの処理を制御するために、第２チャネルで送信される補助データを受信するステップをさらに含むことを特徴とする請求項６に記載の方法。
【請求項８】  前記補助データは、アナログビデオ信号として送信されることを特徴とする請求項７に記載の方法。
【請求項９】  前記複数のピクチャ解像度フォーマットの各々は、それぞれの請求料率に関連付けられ、
前記複数のピクチャ解像度フォーマットの中から選択した１つのピクチャ解像度フォーマットと関連付けられた前記請求料率でユーザに請求するステップをさらに含むことを特徴とする請求項１に記載の方法。
【請求項１０】  コピー保護情報を含む信号で受信したビデオイメージ情報を表示するためのフォーマットを選択する方法であって、
ａ）ビデオイメージ情報と、複数の表示フォーマットの１つと関連付けられたコピー保護情報とを含む前記信号を受信するステップと、
ｂ）前記受信した信号に含まれる前記コピー保護情報を復号するステップであって、
前記コピー保護情報は、
ｉ）前記ビデオイメージ情報の記録
ｉｉ）前記記録したビデオイメージ情報の再生、前記記録したビデオイメージ情報のその後のコピーを制御するデータの再生
の少なくとも一方に利用可能な表示フォーマットに関するデータを含む、ステップと、
ｃ）前記復号したコピー保護情報に応じて、前記ビデオイメージ情報をディスプレイ上に表示するためのフォーマットを適応的に選択するステップと、
ｄ）前記選択した表示フォーマットを用いて前記ビデオイメージ情報を処理するステップと
を含むことを特徴とする方法。
【請求項１１】  前記表示フォーマットの選択は、ユーザのエンタイトルメントを決定する前記復号したコピー保護情報に応じて、前記複数の利用可能な表示フォーマットの中から１つを選択することであることを特徴とする請求項１０に記載の方法。
【請求項１２】  前記表示フォーマットは、
ｉ）標準解像度フォーマット
ｉｉ）高解像度フォーマット
の一方であることを特徴とする請求項１０に記載の方法。
【請求項１３】  前記ビデオイメージ情報を、前記復号したコピー保護情報によって決定されたフォーマットで記録媒体に記録するステップをさらに含むことを特徴とする請求項１０に記載の方法。
【請求項１４】  前記記録したビデオイメージ情報を、前記復号したコピー保護情報によって決定された前記フォーマットでディスプレイ上に再生するステップをさらに含むことを特徴とする請求項１３に記載の方法。
【請求項１５】  前記受信した信号の前記ビデオイメージ情報は、第１チャネルでデジタル信号として送信されることを特徴とする請求項１０に記載の方法。
【請求項１６】  前記ビデオイメージデータの処理を制御するために、第２チャネルで送信される補助データを受信するステップをさらに含むことを特徴とする請求項１５に記載の方法。
【請求項１７】  前記補助データは、アナログビデオ信号として送信されることを特徴とする請求項１６に記載の方法。
【請求項１８】  前記複数の表示フォーマットの各々は、それぞれの請求料率に関連付けられ、
前記複数の表示フォーマットの中から選択した１つの表示フォーマットと関連付けられた前記請求料率でユーザに請求するステップをさらに含むことを特徴とする請求項１０に記載の方法。
【請求項１９】  コピー保護情報を含む信号で受信したビデオイメージ情報を記録するためのフォーマットを選択する方法であって、
ａ）ビデオイメージ情報と、複数の記録フォーマットの１つと関連付けられたコピー保護情報とを含む前記信号を受信するステップであって、前記コピー保護情報は前記ビデオイメージ情報のその後のコピーを制御するステップと、
ｂ）前記受信した信号の前記コピー保護情報を復号するステップと、
ｃ）前記復号したコピー保護情報に応じて、前記ビデオイメージ情報を記録媒体に記録するためのフォーマットを適応的に選択するステップと、
ｄ）前記選択した記録フォーマットを用いて前記ビデオイメージ情報を処理するステップと
を含むことを特徴とする方法。
【請求項２０】  前記記録フォーマットの選択は、ユーザのエンタイトルメントを決定する前記復号したコピー保護情報に応じて、前記複数の利用可能な記録フォーマットの中から１つを選択することであることを特徴とする請求項１９に記載の方法。
【請求項２１】  前記記録フォーマットは、
ｉ）標準解像度フォーマット
ｉｉ）高解像度フォーマット
の一方であることを特徴とする請求項１９に記載の方法。
【請求項２２】  前記処理したビデオイメージ情報を、前記選択した記録フォーマットで記録媒体に記録するステップをさらに含むことを特徴とする請求項１９に記載の方法。
【請求項２３】  前記記録したビデオイメージ情報を、前記選択した記録フォーマットでディスプレイ上に再生するステップをさらに含むことを特徴とする請求項２２に記載の方法。
【請求項２４】  前記コピー保護情報は、前記処理したビデオイメージ情報を再生することができる時間を示す情報をさらに含むことを特徴とする請求項１９に記載の方法。
【請求項２５】  前記時間は、前記複数の利用可能な記録フォーマットの中から１つを選択するために、ユーザのエンタイトルメントを決定する前記復号したコピー保護情報に応じて設定されることを特徴とする請求項２４に記載の方法。
【請求項２６】  前記受信した信号の前記ビデオイメージ情報は、第１チャネルでデジタル信号として送信されることを特徴とする請求項１９に記載の方法。
【請求項２７】  前記ビデオイメージデータの処理を制御するために、第２チャネルで送信された補助データを受信するステップをさらに含むことを特徴とする請求項２６に記載の方法。
【請求項２８】  前記補助データは、アナログビデオ信号として送信されることを特徴とする請求項２７に記載の方法。
【請求項２９】  前記複数の記録フォーマットの各々は、それぞれの請求料率に関連付けられ、
前記複数の記録フォーマットの中から選択した１つの記録フォーマットと関連付けられた前記請求料率でユーザに請求するステップをさらに含むことを特徴とする請求項１９に記載の方法。